(57)【要約】内燃機関の電動液圧式バルブ制御システム（１０）はガス交換弁（３８）へ作用する少なくとも１つのアクチュエータ（２４）を有している。ここには少なくとも１つの作業室（３０）が設けられている。アクチュエータ（２４）が第１の位置から第２の位置へ操作されるときには作業室（３０）が液圧式高圧蓄圧器（１６）へ接続され、低圧のリターン管路（５６）からは分離される。アクチュエータ（２４）が第２の位置から第１の位置へ戻されるときには作業室（３０）は低圧リターン管路（５６）に接続され、液圧式高圧蓄圧器からは分離される。作業室（３０）を同時に液圧式高圧蓄圧器（１６）および低圧リターン管路（５６）へ接続することにより、圧力の一定保持または液圧式高圧蓄圧器内の圧力低下を間単に実現することができる。
2004538416.tif 000002
【特許請求の範囲】
【請求項１】
ガス交換弁（３８）へ作用する少なくとも１つのアクチュエータ（２４）に少なくとも１つの作業室（３０）が設けられており、
該アクチュエータ（２４）は第１の位置から第２の位置へ操作されるときには作業室（３０）を液圧式高圧蓄圧器（１６）へ接続して低圧のリターン管路（５６）から分離し、第２の位置から第１の位置へ戻されるときには作業室（３０）を低圧のリターン管路（５６）に接続して液圧式高圧蓄圧器（１６）から分離する、
内燃機関の電動液圧式バルブ制御システムの駆動方法において、
作業室（３０）を同時に液圧式高圧蓄圧器（１６）および低圧のリターン管路（５６）へ接続することにより、圧力を一定に保持するかまたは液圧式高圧蓄圧器内の圧力を低下させる
ことを特徴とする内燃機関の電動液圧式バルブ制御システムの駆動方法。
【請求項２】
圧力の一定保持または液圧式高圧蓄圧器（１６）内の圧力低下のためにアクチュエータ（２４）の作業室（３０）と液圧式高圧蓄圧器（１６）および低圧のリターン管路（５６）とを同時に接続し、対応するガス交換弁（３８）を直ちに閉鎖する、請求項１記載の方法。
【請求項３】
圧力の一定保持または液圧式高圧蓄圧器（１６）内の圧力低下のためにアクチュエータ（２４）の作業室（３０）と液圧式高圧蓄圧器（１６）および低圧のリターン管路（５６）とを同時に接続し、対応するガス交換弁（３８）を燃焼室（４４）内の高圧に基づいて直ちには開放しない、請求項２記載の方法。
【請求項４】
アクチュエータ（２４）を第１の位置から第２の位置へ運動させるとき、その作業室（３０）を低圧のリターン管路（５６）の分離直前に液圧式高圧蓄圧器（１６）へ接続し、および／またはアクチュエータ（２４）を第２の位置から第１の位置へ運動させるとき、その作業室（３０）を液圧式高圧蓄圧器（１６）の分離直前に低圧のリターン管路（５６）へ接続する、請求項１から３までのいずれか１項記載の方法。
【請求項５】
内燃機関を低い回転数で駆動する場合、アクチュエータ（２４）の作業室（３０）と液圧式高圧蓄圧器（１６）および低圧のリターン管路（５６）とを時間的に同時に接続する、請求項１から４までのいずれか１項記載の方法。
【請求項６】
付加的に圧送量の開制御または閉ループ制御を液圧式ポンプ（１４）を介して行う、請求項１から５までのいずれか１項記載の方法。
【請求項７】
アクチュエータ（２４）は異なる大きさで反対方向に作用するピストン（２６）の圧力面（３４、３６）を相互に分離する２つの作業室（３０、３２）を有しており、一方の作業室（３２）につねに高圧を印加し、他方の作業室（４０）を液圧式高圧蓄圧器（１６）および低圧のリターン管路（５６）に接続する、請求項１から６までのいずれか１項記載の方法。
【請求項８】
液圧流体を作業室（３０）から液圧式低圧蓄圧器（５２）へ流す、請求項１から７までのいずれか１項記載の方法。
【請求項９】
コンピュータ上で動作し、請求項１から８までのいずれか１項記載の内燃機関の電動液圧式バルブ制御システムの駆動方法の実行に適していることを特徴とするコンピュータプログラム。
【請求項１０】
メモリ、例えばフラッシュメモリまたはＦｅＲＡＭに記憶されている、請求項９記載のコンピュータプログラム。
【請求項１１】
少なくとも電動液圧式バルブ制御システムのの第１の制御弁（２２）および第２の制御弁（５０）に接続されており、
ガス交換弁（３８）のアクチュエータ（２４）の作業室（３０）が液圧式高圧蓄圧器（１６）または低圧のリターン管路（５６）へ接続される
内燃機関を駆動する開制御および閉ループ制御装置（７８）において、
請求項１から８までのいずれか１項記載の内燃機関の電動液圧式バルブ制御システムの駆動方法の実行に適している
ことを特徴とする内燃機関を駆動する開制御および閉ループ制御装置。
【請求項１２】
請求項９または１０記載のコンピュータプログラムが設けられている、請求項１１記載の装置。
【発明の詳細な説明】
【０００１】
従来の技術
本発明はまず第１に、ガス交換弁へ作用する少なくとも１つのアクチュエータに少なくとも１つの作業室が設けられており、この作業室はアクチュエータを第１の位置から第２の位置へ操作するときには液圧式高圧蓄圧器へ接続され、低圧のリターン管路からは分離され、アクチュエータを第２の位置から第１の位置へ戻す操作を行うときには低圧のリターン管路に接続され、液圧式高圧蓄圧器からは分離される内燃機関の電動液圧式バルブ制御システムの駆動方法に関する。
【０００２】
この種の方法は既にこの分野の市場においても周知である。内燃機関の電動液圧式バルブ制御システムはガス交換弁の駆動をクランクシャフトまたはカムシャフトから独立に可能にする。これにより特にガソリンが節約され、内燃機関の障害物質放出特性が改善される。
【０００３】
市場で周知となっている電動液圧式バルブ制御システムではガス交換弁のシャフトと液圧式アクチュエータとが接続されている。アクチュエータはピストン端面の両側にそれぞれ異なる大きさの２つの作業室を有する。端面の小さいほうにはつねに液圧式ポンプから液圧式高圧蓄圧器の高圧が印加される。大きいほうは液圧式高圧蓄圧器または低圧のリターン管路に選択的に接続される。どちらに接続されるかに応じてガス交換弁を開放する力または閉鎖する力の作用が得られる。
【０００４】
周知の方法では、液圧式高圧蓄圧器からアクチュエータを介して低圧のリターン管路へ流れ込んでアクチュエータの操作に用いられる液圧流体の量が大きく変動する。液圧式ポンプから液圧式高圧蓄圧器へ圧送される流体量も、例えば液圧式ポンプが直接に内燃機関によって駆動され、その圧送力が回転数に依存する場合には大きく変動する。
【０００５】
液圧式高圧蓄圧器内で動作点に対応する比較的一定な圧力を達成するには、これまで、例えば過圧制御弁または圧力制御弁が設けられていた。これは所定の圧力が上方超過された場合に液圧流体を液圧式高圧蓄圧器から流出させるバルブである。液圧式ポンプによる圧送量の制御も周知である。また液圧式高圧蓄圧器内のダイナミックな圧力のピークは液圧式高圧蓄圧器の大容積により受動的に平滑化することができる。
【０００６】
ただし液圧式高圧蓄圧器内の圧力を一定に保持する前述の手段には比較的コストがかかり、部分的には液圧式高圧蓄圧器内の圧力変化に対してヒステリシスを経てからしか応答しないという欠点がある。圧力平滑化のために大きく作られた液圧式高圧蓄圧器も、通常は車両のエンジンスペースには使用可能なスペースがほとんどないので、不利である。同じ問題点が圧力制御弁についても存在する。
【０００７】
したがって本発明の課題は、冒頭に言及した形式の方法を提供し、液圧式高圧蓄圧器内の圧力を簡単に一定保持できるようにすることである。
【０００８】
この課題は冒頭に言及した形式の方法において、作業室を同時に液圧式高圧蓄圧器および低圧のリターン管路へ接続することにより、圧力を一定に保持するかまたは液圧式高圧蓄圧器内の圧力を低下して解決される。
【０００９】
本発明の利点
本発明の手段により液圧式高圧蓄圧器から低圧のリターン管路への直接の接続が行われ、その際に付加的なコンポーネント、例えば圧力制限弁を設ける必要がない。これを達成するために、作業室とエレクトロ液圧式バルブ制御システムの液圧式高圧蓄圧器および低圧のリターン管路とが同時に接続された駆動状態を明確に定める。例えばセンサが液圧流体を液圧式高圧蓄圧器から放出して圧力を一定に保持する必要があることを検出した場合にも、本発明によれば簡単に流体を作業室から低圧のリターン管路へ流すことができる。
【００１０】
通常使用される切換弁は短い応答時間と高いダイナミクスの切換特性とを有しているので、液圧式高圧蓄圧器内の短時間の圧力変動を平滑化することができる。したがって本発明の方法によれば、圧力制限弁を省略することができる。また液圧式高圧蓄圧器を小さく構成することができる。これによりエレクトロ液圧式バルブ制御システムを製造するときのコストが節約され、小さな構造スペースしか要しない。
【００１１】
本発明の有利な実施形態は従属請求項に示されている。
【００１２】
第１の実施形態では、圧力の一定保持または液圧式高圧蓄圧器内の圧力低減のためにアクチュエータの作業室と液圧式高圧蓄圧器および低圧のリターン管路とを同時に接続し、対応するガス交換弁を直ちに閉鎖する。本発明の方法の実施形態は特に、アクチュエータの操作およびガス交換弁の開放を高い全圧を印加することによって行う際に有利である。ガス交換弁の閉鎖された静止状態ではアクチュエータの作業室には通常は液圧式高圧蓄圧器の高い全圧よりも小さな圧力がかかっていることになる。
【００１３】
液圧式高圧蓄圧器をアクチュエータの作業室を介して低圧のリターン管路へ接続する際にはアクチュエータの作業室には液圧式高圧蓄圧器の全圧よりも低い圧力がかかっている。このためガス交換弁の閉鎖された静止状態で作業室が液圧式高圧蓄圧器および低圧のリターン管路へ同時に接続されていても影響を受けない。
【００１４】
ここで特に有利には、圧力の一定保持または液圧式高圧蓄圧器内の圧力低減のためにアクチュエータの作業室と液圧式高圧蓄圧器および低圧のリターン管路とを同時に接続し、対応するガス交換弁を直ちに閉鎖する。これにより作業室内での圧力変動に対して“過敏に”アクチュエータが応答してもガス交換弁の望ましくない開放が有効に阻止される。
【００１５】
またアクチュエータを第１の位置から第２の位置へ運動させるとき、その作業室を低圧のリターン管路の分離直前に液圧式高圧蓄圧器へ接続するか、および／またはアクチュエータを第２の位置から第１の位置へ運動させるとき、その作業室を液圧式高圧蓄圧器の分離直前に低圧のリターン管路へ接続することができる。
【００１６】
この場合アクチュエータの意図的な操作を利用して、液圧流体を液圧式高圧蓄圧器から放出することができる。これは作業室を液圧式高圧蓄圧器および低圧のリターン管路へ同時に接続する時点をずらすことにより可能となる。したがって作業室を液圧式高圧蓄圧器および低圧のリターン管路へ接続する時間範囲がオーバラップする。これにより圧力保持または液圧式高圧蓄圧器内の圧力低下をアクチュエータの通常動作として統合することができる。
【００１７】
特に有利には、本発明の方法の実施形態では、内燃機関を低い回転数で駆動する場合、アクチュエータの作業室と液圧式高圧蓄圧器および低圧のリターン管路とを時間的に同時に接続する。この実施形態は、低い回転数では一般に液圧式高圧蓄圧器内の圧力を低下させるほうが有利であるということを考慮している。このようにして得られる液圧式高圧蓄圧器内の圧力低下は従来は不可能であったので、これまではアクチュエータの駆動ストラテジを低回転数で変更しなければならなかった。本発明の方法ではこれが省略できる。
【００１８】
別の実施形態では、圧力の一定保持または圧力低下は、アクチュエータの作業室と低圧のリターン管路および液圧式高圧蓄圧器とを同時に接続することにより液圧式ポンプを介した圧送量の開制御と閉ループ制御と組み合わせて行われる。前述のような作業室の接続によりきわめて迅速かつ高いダイナミクスで液圧式高圧蓄圧器内の圧力が制御されるので、液圧式ポンプによる圧送量の開制御または閉ループ制御は長期的かつ正確に液圧式高圧蓄圧器内の圧力へ適合化させることができる。
【００１９】
特に有利には、本発明の方法では、アクチュエータは２つの作業室を有しており、異なる大きさで反対方向に作用するピストンの圧力面を相互に分離し、一方の作業室につねに高圧を印加し、他方の作業室を液圧式高圧蓄圧器および低圧のリターン管路に接続する。こうしたアクチュエータによりきわめて短い切換時間が達成され、本発明の方法の実施が容易になる。
【００２０】
液圧流体が作業室から低圧のリターン管路へ放出される際のキャビテーションを回避するために、本発明の方法では液圧流体を作業室から液圧式低圧蓄圧器へ流す。これにより液圧流体の放出時の圧力差が低減され、キャビテーションの発生が抑圧される。
【００２１】
本発明はコンピュータプログラムに関しており、これはコンピュータ上で動作し、請求項１から８までのいずれか１項記載の内燃機関の電動液圧式バルブ制御システムの駆動方法の実行に適している。ここで特に有利には、コンピュータプログラムはメモリ、例えばフラッシュメモリまたは強磁性ＲＡＭに記憶されている。
【００２２】
本発明はさらに、少なくとも電動液圧式バルブ制御システムの第１の制御弁および第２の制御弁に接続されており、ガス交換弁のアクチュエータの作業室が液圧式高圧蓄圧器または低圧のリターン管路へ接続される内燃機関を駆動する開制御および閉ループ制御装置に関している。
【００２３】
電動液圧式バルブ制御システムの構造を簡単化するために、この制御装置は前述の内燃機関の電動液圧式バルブ制御システムの駆動方法の実行に適している。特に有利には、この装置には前述のコンピュータプログラムが設けられている。
【００２４】
図面
以下に本発明の特に有利な実施例を添付図を参照しながら詳細に説明する。図中、図１には内燃機関の電動液圧式バルブ制御システムの概略図が示されている。図２には図１の液圧式高圧蓄圧器の圧力特性のダイアグラムが示されている。図３には図１の液圧式高圧蓄圧器の圧力と内燃機関の回転数との関係のダイアグラムが示されている。
【００２５】
実施例の説明
図１には電動液圧式バルブ制御システムの全体が参照番号１０で示されている。このシステムはまず液圧流体の貯蔵室を有しており、これは参照番号１２で表される内燃機関のオイルプールである。液圧流体貯蔵室１２からは液圧流体が制御可能な高圧液圧式ポンプ１４から液圧式高圧蓄圧器１６へ圧送される。液圧管路１８は液圧式高圧蓄圧器１６から圧力制限弁２０を介して電磁弁２２へ通じている。
【００２６】
液圧管路１８は電磁弁２２からさらにアクチュエータ２４へ通じている。これは２方向に運動するピストン２６を備えた液圧式シリンダである。ピストン２６はケーシング２８内に設けられている。図１のピストン２６の上方、このピストンとケーシング２８とのあいだに第１の作業室３０が形成されている。これは電磁弁２２に接続されている。図１のピストン２６の下方、このピストンとケーシング２８とのあいだに第２の作業室３２が形成されている。これは分岐管路を介して液圧管路１８のうち液圧式高圧蓄圧器１６と電磁弁２２とのあいだに存在する区間へ接続する。
【００２７】
図１ではピストン２６の上方の端面３４は全体としては第２の作業室３２を定めている下方の端面３６よりも大きい。つまりピストン２６はいわゆる“差動ピストン”である。ピストン２６はガス交換弁３８に接続されている。これはバルブロッド４０およびバルブエレメント４２を有している。バルブエレメント４２を介して燃焼室４４の開口部（参照番号は付していない）が閉鎖または開放される。燃焼室４４は内燃機関（参照番号は付していない）の機関ブロック４６内に設けられている。
【００２８】
アクチュエータ２４の第１の作業室３０から液圧管路４８が第２の電磁弁５０を介して液圧式低圧蓄圧器５２へ通じている。これはさらに圧力制御弁５４を介して低圧リターン管路５６へ接続されており、ここから液圧流体貯蔵室１２へ戻る。アクチュエータ２４の第１の作業室３０からはさらに液圧管路５８が圧力制御弁６０を介して液圧式高圧蓄圧器１６へ通じている。
【００２９】
２つの電磁弁２２、５０は電磁調整素子６２、６４により操作され、それぞれ圧力ばね６６、６８によって静止位置へ押し動かされる。第１の電磁弁２２は電磁調整素子６２に電流が流れていない静止位置７０では閉鎖され、操作位置７２では開放される。これに対して第２の電磁弁５０は電磁調整素子６４に電流が流れていない静止位置７４では開放され、操作位置で閉鎖されている。この操作位置は参照番号７６で示されている。
【００３０】
電動液圧式バルブ制御システム１０はさらに開制御および閉ループ制御装置７８を有している。この装置は電磁調整素子６２、６４に接続されている。さらにこの装置は液圧式ポンプ１４も駆動する。この開制御および閉ループ制御装置７８の入力側には圧力センサ８０が接続されており、このセンサが液圧式高圧蓄圧器１６内の圧力を検出する。さらに開制御および閉ループ制御装置７８は内燃機関のクランクシャフトの回転数センサにも接続されている。この回転数センサは参照番号８２で示されている。
【００３１】
電動液圧式バルブ制御システム１０は次のように駆動される。以下に示す方法は（図示されない）開制御および閉ループ制御装置７８内のＦｅＲＡＭ上に格納されている。ガス交換弁３８を開放するには、図１のピストン２６を下方へ動かさなければならない。これは静止位置７４から第２の電磁弁５０へ通電してこの電磁弁を閉鎖することにより達成される。したがって第１の作業室３０と液圧式低圧蓄圧器５２とのあいだの接続は阻止される。
【００３２】
続いて開制御および閉ループ制御装置７８から第１の電磁弁２２の電磁調整素子６２へ通電が行われ、電磁弁２２は閉鎖静止位置７０から開放位置７２へ動かされる。これにより第１の作業室３０と液圧式高圧蓄圧器１６とが接続される。第１の作業室３０には液圧式高圧蓄圧器１６内で支配的な液圧にほぼ相応する圧力が発生する。
【００３３】
ピストン２６の下方の端面３６は上方の端面３４よりも小さく、アクチュエータ２４の２つの作業室３０、３２にはほぼ等しい圧、つまり液圧式高圧蓄圧器１６内の圧力がかかるので、得られる力は図１では下方へ向かって生じ、ピストン２６はこの方向へ動く。これにより図１のバルブロッド４０およびバルブエレメント４２は下方へ運動し、ガス交換弁３８は開放される。
【００３４】
ガス交換弁３８が再び閉鎖される場合、まず開制御および閉ループ制御装置７８が第１の電磁弁２２の通電をオフにし、これによりこの電磁弁は開放位置７２から圧力ばね６６の作用によって閉鎖位置７０へ押し動かされる。液圧式高圧蓄圧器１６と第１の作業室３０とのあいだの接続は再び遮断される。
【００３５】
さらに第２の電磁弁５０への通電が開制御および閉ループ制御装置７８によりオフにされ、この電磁弁が圧力ばね６８の作用により閉鎖位置７６から開放静止位置７４へ動かされる。第１の作業室３０は再び液圧式低圧蓄圧器５２へ接続される。これにより第１の作業室３０の圧力はピストン２６が再び上方へ動かされる力が得られるまで低下する。これによりガス交換弁３８は閉鎖される。
【００３６】
圧力センサ８０を介して開制御および閉ループ制御装置７８へ液圧式高圧蓄圧器１６内の圧力が目標圧よりも大きいことが報告されると、第１の電磁弁２２は開制御および閉ループ制御装置７８によって開放位置７２へ制御され、これに対して第２の電磁弁５０も開放静止位置７４にとどまる。このとき内燃機関はアクチュエータ２４に接続されたガス交換弁３８が閉鎖されたままであると見なされる。第１の電磁弁２２を前述のように操作することにより、液圧式高圧蓄圧器１６は第１の電磁弁２２、第１の作業室３０および第２の電磁弁５０を介して液圧式低圧蓄圧器５２へ接続される。
【００３７】
液圧管路１８、４８を相応に構成することにより、当該の状態において第１の作業室３０の圧力が望ましくないピストン２６の運動を引き起こすほど高くはならないことが保証される。液圧式高圧蓄圧器１６と液圧式低圧蓄圧器５２とを直接に接続することにより液圧流体は液圧式高圧蓄圧器１６から液圧式低圧蓄圧器５２へ直接に流れ込み、アクチュエータ２４の操作を生じさせない。したがって液圧式高圧蓄圧器１６内の圧力は所望のように低減されるか、または一定に保持される。
【００３８】
ガス交換弁３８が当該の状態中に開放されるのを確実に阻止したい場合、燃焼室４４内で支配的となっている高圧に基づいてバルブエレメント４２が閉鎖位置へ押し動かされた場合に、液圧式高圧蓄圧器１６と液圧式低圧蓄圧器５２との直接の接続を行う。
【００３９】
液圧流体の液圧式高圧蓄圧器１６から液圧式低圧蓄圧器５２への流れは、開制御および閉ループ制御装置７８によって第１の電磁弁２２の通電を再びオフにして閉鎖静止位置へ戻すことにより、簡単に終了させることができる。第１の作業室３０にはこのとき再び液圧式低圧蓄圧器５２内で支配的な圧力が生じる。
【００４０】
電動液圧式バルブ制御システム１０は他の手段によっても簡単に駆動でき、これにより液圧式高圧蓄圧器１６内の圧力を一定に保持するか、または低減することができる。
【００４１】
液圧式高圧蓄圧器１６と液圧式低圧蓄圧器５２との接続はアクチュエータ２４の操作に結びついている。ガス交換弁３８を開放する際にアクチュエータ２４が操作されると、例えば第２の電磁弁５０の電磁調整素子６４が通電されて開放静止位置７４から閉鎖位置７６へ達する直前、電磁弁２２も閉鎖静止位置７０から開放操作位置７２へ動くように制御される。
【００４２】
したがって第２の電磁弁５０が閉鎖される直前に液圧式高圧蓄圧器１６と液圧式低圧蓄圧器５２との間の直接の接続が生じ、これにより液圧流体は液圧式高圧蓄圧器１６から流出する。同様に、ガス交換弁３８が再び閉鎖される際には、第１の電磁弁２２の電磁調整素子６２の通電がオフにされて開放位置７２から再び閉鎖静止位置７０へ戻る直前に、第２の電磁弁５０が閉鎖位置７６から開放静止位置７４へ動かされる。
【００４３】
このときにも短時間だけ直接に液圧式高圧蓄圧器１６から液圧式低圧蓄圧器５２ひいては低圧リターン管路５６への接続が行われ、ここを通って液圧流体が液圧式高圧蓄圧器１６から流出し、これにより圧力が一定に保持されるか低減される。
【００４４】
この種の短時間のバルブ操作とこれによって得られる液圧式高圧蓄圧器１６と低圧リターン管路５６との接続とにより、液圧式高圧蓄圧器１６内の圧力は図２に示されているように一定に保持される。そのとき放出される流体量は当該の直接接続を行う持続時間によって調整される。図中、電磁弁２２、５０の相応の操作が行われない場合の圧力は破線で示されており、電磁弁２２、５０が操作される際の圧力は実線で示されている。
【００４５】
内燃機関が小さな回転数で駆動される場合、これは回転数センサ８２によって検出され、相応の信号が開制御および閉ループ制御装置７８へ送出される。この制御装置が電磁弁２２，５０を駆動し、液圧式高圧蓄圧器１６内の圧力は低減される。典型的には通常の２００ｂａｒの駆動圧がおよそ５０ｂａｒまで低減される。回転数が上昇すると、液圧式高圧蓄圧器１６と低圧リターン管路とのあいだの流体が直接に接続され、液圧式高圧ポンプ１４を介した持続的な圧送のために再び液圧式高圧蓄圧器１６内の圧力が上昇してしまうことが回避される。内燃機関の回転数ｎと液圧式高圧蓄圧器１６内の圧力Ｐとの関係は図３に示されている。液圧式高圧蓄圧器１６内で発生する圧力は液圧式高圧ポンプ１４を相応に駆動することにより支えられる。
【図面の簡単な説明】
【図１】
内燃機関の電動液圧式バルブ制御システムの概略図である。
【図２】
図１の液圧式高圧蓄圧器の圧力特性のダイアグラムである。
【図３】
図１の液圧式高圧蓄圧器の圧力と内燃機関の回転数との関係のダイアグラムである。
【国際公開パンフレット】
2004538416.tif 000003
2004538416.tif 000004
2004538416.tif 000005
2004538416.tif 000006
2004538416.tif 000007
2004538416.tif 000008
2004538416.tif 000009
2004538416.tif 000010
2004538416.tif 000011
2004538416.tif 000012
2004538416.tif 000013
2004538416.tif 000014
2004538416.tif 000015
2004538416.tif 000016
2004538416.tif 000017
2004538416.tif 000018
2004538416.tif 000019
2004538416.tif 000020
2004538416.tif 000021
2004538416.tif 000022
2004538416.tif 000023
2004538416.tif 000024
【国際調査報告】
2004538416.tif 000025
2004538416.tif 000026
2004538416.tif 000027
2004538416.tif 000028